(57)【要約】    【課題】  電子ズーム機能を用いて投写画像のアスペクト比を変更する機能を有するプロジェクタであって、遮光装置の導入が容易で、かつ、遮光装置を導入することに起因して画像品質が低下することが抑制されたプロジェクタを提供する。    【解決手段】  照明装置１００と、アスペクト比変更機能を有する液晶装置４００Ｒ，４００Ｇ，４００Ｂと、投写光学系６００とを備えたプロジェクタ１００２において、照明装置１００は、第１レンズアレイ１２０の光射出面側に、照明光束の光路に対して着脱可能に配置された遮光装置であって、液晶装置の非画像形成領域に光を照射しないように第１レンズアレイ１２０における各第１小レンズから射出される部分光束毎に光を部分的に遮断することにより照明光束のアスペクト比を変更する機能を有する遮光装置１６０を有することを特徴とするプロジェクタ。【選択図】  図１
2006133641.tif 000002
【特許請求の範囲】
【請求項１】
被照明領域側に略平行な照明光束を射出する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ、及び前記第２レンズアレイから射出される各部分光束を被照明領域で重畳させるための重畳レンズを有する照明装置と、
前記照明装置から射出される照明光束を画像情報に応じて変調する電気光学変調装置であって、前記画像情報に応じて光学変調領域内における画像形成領域と非画像形成領域の範囲を変更可能なアスペクト比変更機能を有する電気光学変調装置と、
前記電気光学変調装置によって変調される照明光束を投写する投写光学系とを備えたプロジェクタにおいて、
前記照明装置は、前記第１レンズアレイの光入射面側又は光射出面側に、照明光束の光路に対して着脱可能に配置された遮光装置であって、前記電気光学変調装置の非画像形成領域に光を照射しないように前記第１レンズアレイにおける各第１小レンズから射出される部分光束毎に光を部分的に遮断することにより照明光束のアスペクト比を変更する機能を有する遮光装置を有することを特徴とするプロジェクタ。
【請求項２】
請求項１に記載のプロジェクタにおいて、
前記遮光装置と前記第１レンズアレイとの間隔をＴ１としたとき、０．１ｍｍ＜Ｔ１＜２ｍｍなる関係を満たすことを特徴とするプロジェクタ。
【請求項３】
請求項１又は２に記載のプロジェクタにおいて、
前記遮光装置は、透明基材に所定パターンの開口部を有する光非透過部材を設けることにより形成されている遮光装置であることを特徴とするプロジェクタ。
【請求項４】
請求項３に記載のプロジェクタにおいて、
前記遮光装置の光透過部材には、減反射膜が形成されていることを特徴とするプロジェクタ。
【請求項５】
請求項１又は２に記載のプロジェクタにおいて、
前記遮光装置は、不透明基材に所定パターンの開口部を設けることにより形成されている遮光装置であることを特徴とするプロジェクタ。
【請求項６】
請求項１〜５のいずれかに記載のプロジェクタにおいて、
前記電気光学変調装置の前記光学変調領域は、９：１６のアスペクト比を有し、
前記第１レンズアレイにおける前記複数の第１小レンズは、前記電気光学変調装置の長手方向に対応する第１の方向に沿って４列、かつ、前記第１の方向に直交する第２の方向に沿って７行に配列されていることを特徴とするプロジェクタ。
【請求項７】
請求項１〜５のいずれかに記載のプロジェクタにおいて、
前記電気光学変調装置の前記光学変調領域は、３：４のアスペクト比を有し、
前記第１レンズアレイにおける前記複数の第１小レンズは、前記電気光学変調装置の長手方向に対応する第１の方向に沿って４列、かつ、前記第１の方向に直交する第２の方向に沿って６行に配列されていることを特徴とするプロジェクタ。
【請求項８】
楕円面リフレクタ、前記楕円面リフレクタの第１焦点近傍に発光中心を有する発光管及び前記楕円面リフレクタの第２焦点近傍に光入射面を有し前記楕円面リフレクタからの光をより均一な強度分布を有する光に変更するインテグレータロッドを備えた照明装置と、
前記照明装置からの光を被照明領域に導くリレー光学系と、
前記リレー光学系からの光を画像情報に応じて変調する電気光学変調装置であって、前記画像情報に応じて光学変調領域内における画像形成領域と非画像形成領域の範囲を変更可能なアスペクト比変更機能を有する電気光学変調装置と、
前記電気光学変調装置で変調された光を投写する投写光学系とを備えたプロジェクタにおいて、
前記照明装置は、前記インテグレータロッドの光射出面側に、照明光束の光路に対して着脱可能に配置された遮光装置であって、前記インテグレータロッドから射出される照明光束のうち前記電気光学変調装置の非画像形成領域を照射する光を遮断することにより照明光束のアスペクト比を変更する機能を有する遮光装置を有することを特徴とするプロジェクタ。
【請求項９】
請求項８に記載のプロジェクタにおいて、
前記遮光装置と前記インテグレータロッドの光射出面との間隔をＴ２としたとき、０．１ｍｍ＜Ｔ２＜２ｍｍなる関係を満たすことを特徴とするプロジェクタ。
【請求項１０】
請求項８又は９に記載のプロジェクタにおいて、
前記遮光装置は、透明基材に所定パターンの開口部を有する光非透過部材を設けることにより形成されている遮光装置であることを特徴とするプロジェクタ。
【請求項１１】
請求項１０に記載のプロジェクタにおいて、
前記遮光装置の光透過部材には、減反射膜が形成されていることを特徴とするプロジェクタ。
【請求項１２】
請求項８又は９に記載のプロジェクタにおいて、
前記遮光装置は、不透明基材に所定パターンの開口部を設けることにより形成されている遮光装置であることを特徴とするプロジェクタ。
【発明の詳細な説明】
【技術分野】
【０００１】
本発明はプロジェクタに関する。 
【背景技術】
【０００２】
電子ズーム機能を用いて投写画像のアスペクト比を変更するプロジェクタが知られている。このプロジェクタは、液晶装置の光学変調領域のうち非画像形成領域の透過率を常に最低にすることによって、投写画像のアスペクト比を変更することとしている。しかしながら、このプロジェクタにおいては、液晶装置の非画像形成領域からも光が少し漏れてしまい、目障りとなるという問題があった。
【０００３】
このため、電子ズーム機能を用いるときに液晶装置の非画像形成領域に照射される照明光束を遮断する機能を有するプロジェクタが提案されている（例えば、特許文献１参照。）。図１１は、このような機能を有する従来のプロジェクタ１０００を説明するために示す図である。図１１（ａ）は従来のプロジェクタ１０００の光学系を示す図であり、図１１（ｂ）は従来のプロジェクタ１０００に用いられる遮光装置１４１０を示す図であり、図１１（ｃ）は従来のプロジェクタ１０００に用いることのできる別の遮光装置１４２０を示す図である。
【０００４】
従来のプロジェクタ１０００においては、各液晶装置１４００Ｒ，１４００Ｇ，１４００Ｂの直前に、上記のような遮光装置１４１０又は遮光装置１４２０を配置することによって、各液晶装置１４００Ｒ，１４００Ｇ，１４００Ｂの非画像形成領域から漏れる光を遮断している。このため、従来のプロジェクタ１０００によれば、各液晶装置１４００Ｒ，１４００Ｇ，１４００Ｂの非画像形成領域には光が照射されなくなるため、投写画像のアスペクト比を変更することに起因して目障りとなることがなくなる。
【０００５】
【特許文献１】特開２００２−３６５７２０号公報（図１、図７及び図８）
【発明の開示】
【発明が解決しようとする課題】
【０００６】
しかしながら、プロジェクタ内部の、液晶装置１４００Ｒ，１４００Ｇ，１４００Ｂの近くには種々の光学部品や電気・機械部品（例えば、液晶装置１４００Ｒ，１４００Ｇ，１４００Ｂ、フィールドレンズ１４３０Ｒ，１４３０Ｇ，１４３０Ｂ、クロスダイクロイックプリズム１５００、液晶装置等を冷却する冷却機構（図示せず。）など）が高密度に配置されているため、遮光装置１４１０，１４２０を配置するのが容易ではないという問題があった。また、遮光装置１４１０，１４２０は液晶装置１４００Ｒ，１４００Ｇ，１４００Ｂのごく近傍に配置される必要があるため、遮光装置１４１０，１４２０で遮光された光が迷光になって液晶装置１４００Ｒ，１４００Ｇ，１４００Ｂに入りこみ、その結果、画像品質が低下することがあるという問題があった。
【０００７】
なお、このような問題は、液晶装置とは別の電気光学変調装置を備えたプロジェクタの場合にも同様の問題となる。
【０００８】
本発明は、このような問題を解決するためになされたもので、電子ズーム機能を用いて投写画像のアスペクト比を変更する機能を有するプロジェクタであって、電気光学変調装置の非画像形成領域に照射される光を遮断する遮光装置の導入が容易で、かつ、遮光装置を導入することに起因して画像品質が低下することが抑制されたプロジェクタを提供することを目的とする。
【課題を解決するための手段】
【０００９】
本発明のプロジェクタは、被照明領域側に略平行な照明光束を射出する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ、及び前記第２レンズアレイから射出される各部分光束を被照明領域で重畳させるための重畳レンズを有する照明装置と、前記照明装置から射出される照明光束を画像情報に応じて変調する電気光学変調装置であって、前記画像情報に応じて光学変調領域内における画像形成領域と非画像形成領域の範囲を変更可能なアスペクト比変更機能を有する電気光学変調装置と、前記電気光学変調装置によって変調される照明光束を投写する投写光学系とを備えたプロジェクタにおいて、前記照明装置は、前記第１レンズアレイの光入射面側又は光射出面側に、照明光束の光路に対して着脱可能に配置された遮光装置であって、前記電気光学変調装置の非画像形成領域に光を照射しないように前記第１レンズアレイにおける各第１小レンズから射出される部分光束毎に光を部分的に遮断することにより照明光束のアスペクト比を変更する機能を有する遮光装置を有することを特徴とする。
【００１０】
このため、本発明のプロジェクタによれば、照明装置は、第１レンズアレイにおける各第１小レンズから射出される部分光束毎に光を部分的に遮断することにより照明光束のアスペクト比を変更する機能を有する遮光装置を有しているため、従来のプロジェクタ１０００の場合と同様に、電気光学変調装置の非画像形成領域には光が照射されなくなるため、投写画像のアスペクト比を変更することに起因して目障りとなることがなくなる。
【００１１】
ところで、一般にプロジェクタにおいては、光学部品、電気・機械部品等は、電気光学変調装置の近くよりも第１レンズアレイの近くの方が低密度に配置されている。このため、本発明のプロジェクタにおいては、遮光装置は第１レンズアレイの光入射面又は光射出面の近傍に位置するため、従来のプロジェクタ１０００の場合と比較して、遮光装置を導入するのが容易になる。また、このことにより、遮光装置は電気光学変調装置から離隔された位置に配置されることになるため、当該遮光装置を導入することに起因して画像品質が低下するということが抑制される。
【００１２】
本発明のプロジェクタにおいては、前記遮光装置と前記第１レンズアレイとの間隔をＴ１としたとき、０．１ｍｍ＜Ｔ１＜２ｍｍなる関係を満たすことが好ましい。
【００１３】
これは、光源装置からの照射光束をより均一な光束に変換するレンズインテグレータ光学系においては、第１レンズアレイにおける各第１小レンズと電気光学変調装置とが共役の位置に位置するため、遮光装置は第１レンズアレイの近傍にあることが好ましいからである。この観点からは、Ｔ１＜１ｍｍなる関係を満たすことがより好ましい。
一方、この間隔があまりに狭いと、照明光束の光路に対して遮光装置をスムーズに着脱するのが困難になるからである。この観点からは、Ｔ１＞０．２ｍｍなる関係を満たすことがより好ましい。
【００１４】
本発明のプロジェクタにおいては、前記遮光装置は、透明基材に所定パターンの開口部を有する光非透過部材を設けることにより形成されている遮光装置であることが好ましい。
【００１５】
このように構成することにより、比較的簡単な方法で遮光装置を製造することが可能となる。
この場合、前記光非透過部材は、金属膜又は誘電体多層膜からなることが好ましい。このように構成することにより、光非透過領域における光透過率を極めて低いものにするとともに耐光性の高いものにすることができる。
【００１６】
本発明のプロジェクタにおいては、前記遮光装置の光透過部材には、減反射膜が形成されていることが好ましい。
【００１７】
このように構成することにより、遮光装置の光透過領域における光透過率が向上するため、光利用効率の低下を抑制することができるとともに迷光レベルが低減しコントラストが向上する。
【００１８】
本発明のプロジェクタにおいては、前記遮光装置は、不透明基材に所定パターンの開口部を設けることにより形成されている遮光装置であることも好ましい。
【００１９】
このように構成することによっても、比較的簡単な方法で遮光装置を製造することが可能となる。この場合、光が光透過領域を通過するときには空気層を通過することになるため、光透過率が向上して光利用効率の低下をさらに抑制することができるとともに、迷光レベルがさらに低減しさらにコントラストが向上する。
【００２０】
本発明のプロジェクタにおいては、前記電気光学変調装置の前記光学変調領域は、９：１６のアスペクト比を有し、前記第１レンズアレイにおける前記複数の第１小レンズは、前記電気光学変調装置の長手方向に対応する第１の方向に沿って４列、かつ、前記第１の方向に直交する第２の方向に沿って７行に配列されていることが好ましい。
【００２１】
このように構成することにより、第１小レンズ（及びそれに対応して第２小レンズ）をそれほど小さくしなくてもよくなるため、各第１小レンズから射出された部分光束が各第２小レンズに効率良く入射するようになり、光利用効率の低下を抑制することができるとともに迷光レベルが低減しコントラストが向上する。また、第１レンズアレイ（及び第２レンズアレイ）の製造が容易になるという効果もある。
【００２２】
本発明のプロジェクタにおいては、前記電気光学変調装置の前記光学変調領域は、３：４のアスペクト比を有し、前記第１レンズアレイにおける前記複数の第１小レンズは、前記電気光学変調装置の長手方向に対応する第１の方向に沿って４列、かつ、前記第１の方向に直交する第２の方向に沿って６行に配列されていることが好ましい。
【００２３】
このように構成することにより、第１小レンズ（及びそれに対応して第２小レンズ）をそれほど小さくしなくてもよくなるため、各第１小レンズから射出された部分光束が各第２小レンズに効率良く入射するようになり、光利用効率の低下を抑制することができるとともに迷光レベルが低減しコントラストが向上する。また、第１レンズアレイ（及び第２レンズアレイ）の製造が容易になるという効果もある。
【００２４】
本発明のプロジェクタにおいては、前記第１レンズアレイは、前記楕円面リフレクタの第２焦点より楕円面リフレクタ側に光入射面を有し、この光入射面上で前記光源装置から射出される照明光束の光量が全体にわたって分布するような位置に配置されていることが好ましい。
【００２５】
このように構成することにより、第１レンズアレイの光入射面で面内光強度分布の均一性が大きく低下することがなくなるため、電気光学変調装置の画像形成領域上での面内光強度分布特性を低下させることもなくなる。
【００２６】
本発明のプロジェクタにおいては、前記光源装置として、楕円面リフレクタ、前記楕円面リフレクタの第１焦点近傍に発光中心を有する発光管及び前記楕円面リフレクタからの射出光を略平行の光に変換する平行化レンズを有する光源装置を用いることもできるし、放物面リフレクタ及び前記放物面リフレクタの焦点近傍に発光中心を有する発光管を有する光源装置を用いることもできる。
【００２７】
その場合、前記発光管には、前記発光管から被照明領域側に射出される光を前記楕円面リフレクタ又は前記放物面リフレクタに向けて反射する補助ミラーが設けられていることが好ましい。
【００２８】
このように構成することにより、発光管から被照明領域側に放射される光が楕円面リフレクタ又は放物面リフレクタに向かって反射される。このため、発光管の被照明領域側端部を覆うような大きさに楕円面リフレクタ又は放物面リフレクタの大きさを設定することを必要とせず、楕円面リフレクタ又は放物面リフレクタの小型化を図ることができる。
【００２９】
本発明のプロジェクタにおいては、前記照明装置は、光源装置から射出される偏光方向の揃っていない照明光束を１種類の直線偏光に揃えて射出する偏光変換素子をさらに有する照明装置であることが好ましい。
【００３０】
このように構成することにより、本発明のプロジェクタは、偏光光を変調するタイプの電気光学変調装置、例えば液晶装置を備えたプロジェクタに特に適合したものになる。
【００３１】
本発明のプロジェクタにおいては、前記照明装置と前記電気光学変調装置との間に、前記照明装置から射出される照明光束を複数の色光に分離するための色分離導光光学系をさらに備え、前記電気光学変調装置として、前記色分離導光光学系から射出される複数の色光をそれぞれの色光に対応する画像情報に応じて変調する複数の電気光学変調装置が設けられていることが好ましい。
【００３２】
このように、複数の電気光学変調装置を備えたプロジェクタの場合、従来のプロジェクタ１０００においては、３つの遮光装置が必要であるのに対して、本発明のプロジェクタにおいては、１つの遮光装置しか必要としない。このため、遮光装置を照明光束の光路に対して正確に位置決めする作業が極めて容易になる。
【００３３】
本発明のプロジェクタは、楕円面リフレクタ、前記楕円面リフレクタの第１焦点近傍に発光中心を有する発光管及び前記楕円面リフレクタの第２焦点近傍に光入射面を有し前記楕円面リフレクタからの光をより均一な強度分布を有する光に変更するインテグレータロッドを備えた照明装置と、前記照明装置からの光を被照明領域に導くリレー光学系と、前記リレー光学系からの光を画像情報に応じて変調する電気光学変調装置であって、前記画像情報に応じて光学変調領域内における画像形成領域と非画像形成領域の範囲を変更可能なアスペクト比変更機能を有する電気光学変調装置と、前記電気光学変調装置で変調された光を投写する投写光学系とを備えたプロジェクタにおいて、前記照明装置は、前記インテグレータロッドの光射出面側に、照明光束の光路に対して着脱可能に配置された遮光装置であって、前記インテグレータロッドから射出される照明光束のうち前記電気光学変調装置の非画像形成領域を照射する光を遮断することにより照明光束のアスペクト比を変更する機能を有する遮光装置を有することを特徴とする。
【００３４】
このため、本発明のプロジェクタによれば、照明装置は、インテグレータロッドから射出される照明光束のうち電気光学変調装置の非画像形成領域を照射する光を遮断することにより照明光束のアスペクト比を変更する機能を有する遮光装置を有しているため、従来のプロジェクタ１０００の場合と同様に、電気光学変調装置の非画像形成領域には光が照射されなくなるため、投写画像のアスペクト比を変更することに起因して目障りとなることがなくなる。
【００３５】
ところで、一般にプロジェクタにおいては、光学部品、電気・機械部品等は、電気光学変調装置の近くよりも第１レンズアレイの近くの方が低密度に配置されている。このため、本発明のプロジェクタにおいては、遮光装置はインテグレータロッドの光射出面側に位置するため、従来のプロジェクタ１０００の場合と比較して、遮光装置を導入するのが容易になる。また、このことにより、遮光装置は電気光学変調装置から離隔された位置に配置されることになるため、当該遮光装置を導入することに起因して画像品質が低下するということが抑制される。
【００３６】
本発明のプロジェクタにおいては、前記遮光装置と前記インテグレータロッドの光射出面との間隔をＴ２としたとき、０．１ｍｍ＜Ｔ２＜２ｍｍなる関係を満たすことが好ましい。
【００３７】
これは、光源装置からの照射光束をより均一な光束に変換するロッドインテグレータ光学系においては、インテグレータロッドの光射出面と電気光学変調装置とが共役の位置に位置するため、遮光装置はインテグレータロッドの光射出面の近傍にあることが好ましいからである。この観点からは、Ｔ２＜１ｍｍなる関係を満たすことがより好ましい。
一方、この間隔があまりに狭いと、照明光束の光路に対して遮光装置をスムーズに着脱するのが困難になるからである。この観点からは、Ｔ２＞０．２ｍｍなる関係を満たすことがより好ましい。
【００３８】
本発明のプロジェクタにおいては、前記遮光装置は、透明基材に所定パターンの開口部を有する光非透過部材を設けることにより形成されている遮光装置であることが好ましい。
【００３９】
このように構成することにより、比較的簡単な方法で遮光装置を製造することが可能となる。
この場合、前記光非透過部材は、金属膜又は誘電体多層膜からなることが好ましい。このように構成することにより、光非透過領域における光透過率を極めて低いものにするとともに耐光性の高いものにすることができる。
【００４０】
本発明のプロジェクタにおいては、前記遮光装置の光透過部材には、減反射膜が形成されていることが好ましい。
【００４１】
このように構成することにより、遮光装置の光透過領域における光透過率が向上するため、光利用効率の低下を抑制することができるとともに迷光レベルが低減しコントラストが向上する。
【００４２】
本発明のプロジェクタにおいては、前記遮光装置は、不透明基材に所定パターンの開口部を設けることにより形成されている遮光装置であることも好ましい。
【００４３】
このように構成することによっても、比較的簡単な方法で遮光装置を製造することが可能となる。この場合、光が光透過領域を通過するときには空気層を通過することになるため、光透過率が向上して光利用効率の低下をさらに抑制することができるとともに迷光レベルがさらに低減しさらにコントラストが向上する。
【発明を実施するための最良の形態】
【００４４】
以下、本発明のプロジェクタについて、図に示す実施の形態に基づいて説明する。
【００４５】
〔実施形態１〕
図１は、実施形態１に係るプロジェクタ１００２を説明するために示す図である。図１（ａ）はプロジェクタ１００２の光学系を上面から見た図であり、図１（ｂ）はプロジェクタ１００２の光学系を側面から見た図である。
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００４６】
実施形態１に係るプロジェクタ１００２は、図１に示すように、照明装置１００と、照明装置１００からの照明光束を赤、緑及び青の３つの色光に分離して導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。また、実施形態１に係るプロジェクタ１００２は、図示されていないが、画像情報に応じて画像形成領域と非画像形成領域の範囲を変更可能なアスペクト比変更機能（すなわち電子ズーム機能）を有する電子ズーム装置をさらに有している。
【００４７】
照明装置１００は、図１に示すように、被照明領域側に略平行な照明光束を射出する光源装置１１０と、光源装置１１０から射出される照明光束を複数の部分光束に分割するための複数の第１小レンズ１２１（図２参照。）を有する第１レンズアレイ１２０と、第１レンズアレイ１２０の複数の第１小レンズ１２１に対応する複数の第２小レンズ１３１（図示せず。）を有する第２レンズアレイ１３０と、光源装置１１０から射出される偏光方向の揃っていない照明光束を１種類の直線偏光に揃えて射出する偏光変換素子１４０と、偏光変換素子１４０から射出される各部分光束を被照明領域で重畳させるための重畳レンズ１５０とを有している。
【００４８】
光源装置１１０は、図１に示すように、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。発光管１１２には、発光管１１２から被照明領域側に射出される光を楕円面リフレクタ１１４に向けて反射する補助ミラー１１６が設けられている。光源装置１１０から射出される光の中心軸は照明光軸１００ａｘと一致している。
【００４９】
色分離導光光学系２００は、照明装置１００から射出される照明光束を複数の色光に分離し、液晶装置４００Ｒ,４００Ｇ,４００Ｂへと各色光を導く。
【００５０】
液晶装置４００Ｒ,４００Ｇ,４００Ｂは、入射した照明光束を画像情報に応じて変調するものであり、照明装置１００の照明対象となる。なお、図示を略したが、色分離導光光学系２００と液晶装置４００Ｒ,４００Ｇ,４００Ｂの間には、それぞれ入射側偏光板が介在配置され、各液晶装置４００Ｒ,４００Ｇ,４００Ｂとクロスダイクロイックプリズム５００との間には、射出側偏光板が介在配置され、入射側偏光板、液晶装置４００Ｒ,４００Ｇ,４００Ｂ、及び射出側偏光板によって入射する各色光の光変調が行われる。
液晶装置４００Ｒ,４００Ｇ,４００Ｂは、一対の透明なガラス基板に電気光学物質である液晶を密閉封入したものであり、例えば、ポリシリコンＴＦＴをスイッチング素子として、与えられた画像情報に応じて、入射側偏光板から射出された一種類の直線偏光の偏光方向を変調する。
液晶装置４００Ｒ,４００Ｇ,４００Ｂとしては、「ｙ軸方向に沿った縦寸法：ｘ軸方向に沿った横寸法＝９：１６の長方形」の画像形成領域を有する、９：１６のアスペクト比を有するワイドビジョン用の液晶装置を用いている。
【００５１】
クロスダイクロイックプリズム５００は、射出側偏光板から射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた界面には、略Ｘ字状に誘電体多層膜が形成されている。略Ｘ字状の一方の誘電体多層膜は、赤色光を反射するものであり、他方の誘電体多層膜は、青色光を反射するものであり、これらの誘電体多層膜によって赤色光及び青色光は反射され、緑色光の進行方向と揃えられることにより、３つの色光が合成される。
【００５２】
クロスダイクロイックプリズム５００から射出されたカラー画像は、投写光学系６００によって拡大投写され、図示を略したスクリーン上で大画面画像を形成する。
【００５３】
電子ズーム装置は、液晶装置４００Ｒ,４００Ｇ,４００Ｂの光学変調領域としての有効パネル領域のうち画像形成領域で投写する画像を変調し、画像形成領域の外側の非画像形成領域を黒色表示させて、投写画像のアスペクト比が液晶装置４００Ｒ,４００Ｇ,４００Ｂの光学変調領域のアスペクト比と異なる場合であっても、電子回路を用いて画像形成領域と非画像形成領域の範囲を変更して、投写画像の全てが投写されるように画像のサイズ調整を行う。
【００５４】
図２は、第１レンズアレイ１２０を説明するために示す図である。図２（ａ）は第１レンズアレイ１２０の正面図であり、図２（ｂ）は図２（ａ）の上面図であり、図２（ｃ）は図２（ａ）の側面図である。
【００５５】
第１レンズアレイ１２０は、光源装置１１０から射出された光束を複数の部分光束に分割する光束分割光学素子としての機能を有し、照明光軸１００ａｘと直交する面内に配列される複数の第１小レンズ１２１を備えて構成される。各第１小レンズ１２１の輪郭形状は、液晶装置４００Ｒ，４００Ｇ，４００Ｂの光学変調領域の形状とほぼ相似形をなすように設定されている。すなわち、実施形態１に係る液晶装置４００Ｒ，４００Ｇ，４００Ｂの光学変調領域のアスペクト比は９：１６であるから、第１小レンズ１２１のアスペクト比もまた９：１６である。
【００５６】
図３は、遮光装置１６０を説明するために示す図である。図３（ａ）は遮光装置１６０及び第１レンズアレイ１２０の正面図であり、図３（ｂ）は図３（ａ）のＡ１−Ａ１断面図であり、図３（ｃ）は図３（ａ）のＡ２−Ａ２断面図であり、図３（ｄ）は図３（ａ）のＡ３−Ａ３断面図である。
【００５７】
図４は、実施形態１に係るプロジェクタ１００２における遮光装置１６０を説明するために示す図である。図４（ａ）は遮光装置１６０を照明光束の光路から離脱させたときに第１レンズアレイ１２０を第２レンズアレイ１３０側から見た図であり、図４（ｂ）は液晶装置４００Ｒの光学変調領域４０２Ｒにおける照明光束の照射領域Ｌ０を示す図であり、図４（ｃ）は遮光装置１６０を照明光束の光路に挿入したときに遮光装置１６０及び第１レンズアレイ１２０を第２レンズアレイ１３０側から見た図であり、図４（ｄ）は液晶装置４００Ｒの光学変調領域４０２Ｒにおける照明光束の照射領域Ｌ１を示す図である。なお、図４において、液晶装置４００Ｒ，４００Ｇ，４００Ｂのうち液晶装置４００Ｒの光学変調領域４０２Ｒを示しているが、液晶装置４００Ｇ及び液晶装置４００Ｂにおいても液晶装置４００Ｒと同様であるので図示を省略する。
【００５８】
実施形態１に係るプロジェクタ１００２においては、図１〜図３に示すように、照明装置１００は、第１レンズアレイ１２０の光射出面側に、液晶装置４００Ｒ，４００Ｇ，４００Ｂの非画像形成領域に光を照射しないように第１レンズアレイ１２０における各第１小レンズ１２１から射出される部分光束毎に光を部分的に遮断することにより照明光束のアスペクト比を変更する機能を有する遮光装置１６０をさらに有することを特徴としている。遮光装置１６０は、照明光束の光路に対して着脱可能に配置されている。
【００５９】
実施形態１に係るプロジェクタ１００２を用いて、アスペクト比９：１６の投写画像を表示する場合には、図４（ａ）及び図４（ｂ）に示すように、遮光装置１６０を照明光束の光路から離脱させる。すると、アスペクト比９：１６の照明光束（Ｌ０）は、アスペクト比９：１６の光学変調領域を有する液晶装置４００Ｒ，４００Ｇ，４００Ｂにおける、アスペクト比９：１６の画像形成領域に照射されることになる。
一方、実施形態１に係るプロジェクタ１００２を用いて、アスペクト比３：４の投写画像を表示する場合には、図４（ｃ）及び図４（ｄ）に示すように、遮光装置１６０を照明光束の光路に挿入する。すると、アスペクト比３：４の照明光束（Ｌ１）は、アスペクトアスペクト比９：１６の光学変調領域を有する液晶装置４００Ｒ，４００Ｇ，４００Ｂにおける、アスペクト比３：４の画像形成領域に照射されることになる。
【００６０】
このため、実施形態１に係るプロジェクタ１００２によれば、照明装置１００は、第１レンズアレイ１２０における各第１小レンズ１２１から射出される部分光束毎に光を部分的に遮断することにより照明光束のアスペクト比を変更する機能を有する遮光装置１６０を有しているため、従来のプロジェクタ１０００の場合と同様に、液晶装置４００Ｒ，４００Ｇ，４００Ｂの非画像形成領域には光が照射されなくなるため、投写画像のアスペクト比を変更することに起因して目障りとなることがなくなる。
【００６１】
ところで、一般にプロジェクタにおいては、光学部品、電気・機械部品等は、電気光学変調装置の近くよりも第１レンズアレイの近くの方が低密度に配置されている。このため、本発明のプロジェクタにおいては、遮光装置は第１レンズアレイの光入射面又は光射出面の近傍に位置するため、従来のプロジェクタ１０００の場合と比較して、遮光装置を導入するのが容易になる。また、このことにより、遮光装置は電気光学変調装置から離隔された位置に配置されることになるため、当該遮光装置を導入することに起因して画像品質が低下するということが抑制される。
【００６２】
また、実施形態１に係るプロジェクタ１００２によれば、遮光装置１６０は、図１に示すように、第１レンズアレイ１２０の光射出面の近傍に位置することとなるため、従来のプロジェクタ１０００の場合と比較して、遮光装置１６０を導入するのが容易になる。また、このことにより、遮光装置１６０は液晶装置４００Ｒ，４００Ｇ，４００Ｂから離隔された位置に位置することになるため、遮光装置１６０を導入することに起因して画像品質が低下するということが抑制される。
【００６３】
実施形態１に係るプロジェクタ１００２においては、遮光装置１６０と第１レンズアレイ１２０との間隔をＴ１としたとき、０．１ｍｍ＜Ｔ１＜２ｍｍなる関係を満たすこととしている。
【００６４】
これは、光源装置１１０からの照射光束をより均一な光束に変換するレンズインテグレータ光学系においては、第１レンズアレイ１２０における各第１小レンズ１２１と液晶装置４００Ｒ，４００Ｇ，４００Ｂの画像形成領域とが共役の位置に位置するため、遮光装置１６０は第１レンズアレイ１２０の近傍にあることが好ましいからである。この観点からは、Ｔ１＜１ｍｍなる関係を満たすことがより好ましい。
一方、この間隔があまりに狭いと、照明光束の光路に対して遮光装置１６０をスムーズに着脱するのが困難になるからである。この観点からは、Ｔ１＞０．２ｍｍなる関係を満たすことがより好ましい。
【００６５】
実施形態１に係るプロジェクタ１００２においては、遮光装置１６０は、図３に示すように、透明基材に所定パターンの開口部を有する光非透過部材を設けることにより形成されている遮光装置である。
【００６６】
このため、実施形態１に係るプロジェクタ１００２においては、比較的簡単な方法で遮光装置１６０を製造することが可能となる。
この場合、光非透過部材は、金属膜又は誘電体多層膜からなるものとしている。これにより、光非透過領域における光透過率を極めて低いものにするとともに耐光性の高いものにすることができる。
【００６７】
実施形態１に係るプロジェクタ１００２においては、遮光装置１６０の光透過部材には、減反射膜が形成されている。
【００６８】
このため、遮光装置１６０の光透過領域における光透過率が向上するようになるため、光利用効率の低下を抑制することができるとともに迷光レベルが低減しコントラストが向上する。
【００６９】
実施形態１に係るプロジェクタ１００２においては、第１レンズアレイ１２０における複数の第１小レンズ１２１は、図２（ａ）に示すように、液晶装置４００Ｒ，４００Ｇ，４００Ｂの長手方向に対応する第１の方向（ｘ軸方向）に沿って４列、かつ、第１の方向に直交する第２の方向（ｙ軸方向）に沿って７行に配列されている。
【００７０】
このため、実施形態１に係るプロジェクタ１００２によれば、第１小レンズ１２１（及びそれに対応して第２小レンズ１３１）をそれほど小さくしなくてもよくなるため、各第１小レンズ１２１から射出された部分光束が各第２小レンズ１３１に効率良く入射するようになり、光利用効率の低下を抑制することができるとともに迷光レベルが低減しコントラストが向上する。また、第１レンズアレイ１２０（及び第２レンズアレイ１３０）の製造が容易になるという効果もある。
【００７１】
実施形態１に係るプロジェクタ１００２においては、第１レンズアレイ１２０は、楕円面リフレクタ１１４の第２焦点より楕円面リフレクタ１１４側に光入射面を有し、この光入射面上で光源装置１１０から射出される照明光束の光量が全体にわたって分布するような位置に配置されている。
【００７２】
このため、実施形態１に係るプロジェクタ１００２によれば、第１レンズアレイ１２０の光入射面で面内光強度分布の均一性が大きく低下することがなくなるため、液晶装置４００Ｒ，４００Ｇ，４００Ｂの画像形成領域上での面内光強度分布特性を低下させることもなくなる。
【００７３】
実施形態１に係るプロジェクタ１００２においては、上述したように、発光管１１２には、発光管１１２から被照明領域側に射出される光を楕円面リフレクタ１１４に向けて反射する反射光学系としての補助ミラーが設けられている。
【００７４】
このため、実施形態１に係るプロジェクタ１００２においては、発光管１１２から被照明領域側に放射される光が楕円面リフレクタ１１４に反射されるため、発光管１１２の被照明領域側端部を覆うような大きさに楕円面リフレクタ１１４の大きさを設定することを必要とせず、楕円面リフレクタ１１４の小型化を図ることができる。
【００７５】
実施形態１に係るプロジェクタ１００２においては、照明装置１００は、光源装置１１０から射出される偏光方向の揃っていない照明光束を１種類の直線偏光に揃えて射出する偏光変換素子１４０をさらに有している。
【００７６】
このため、実施形態１に係るプロジェクタ１００２は、液晶装置４００Ｒ，４００Ｇ，４００Ｂを備えたプロジェクタに特に適合したものとなる。
【００７７】
実施形態１に係るプロジェクタ１００２においては、上記したように、照明装置１１０と液晶装置４００Ｒ，４００Ｇ，４００Ｂとの間に、照明装置１１０から射出される照明光束を３つの色光（赤色光、緑色光及び青色光）に分離するための色分離導光光学系２００をさらに備えている。また、電気光学変調装置として、色分離導光光学系２００から射出される３つの色光をそれぞれの色光に対応する画像情報に応じて変調する３つの液晶装置４００Ｒ，４００Ｇ，４００Ｂが設けられている。
【００７８】
このため、実施形態１に係るプロジェクタ１００２によれば、３つの液晶装置４００Ｒ，４００Ｇ，４００Ｂを備えたプロジェクタでありながら、従来のプロジェクタ１０００の場合とは異なり、照明光束のアスペクト比変更を行うための遮光装置として、１つの遮光装置１６０しか必要としないため、従来のプロジェクタ１０００の場合に比較して、遮光装置１６０を照明光束の光路に対して正確に位置決めする作業が極めて容易になるという効果も得られる。
【００７９】
実施形態１に係るプロジェクタ１００２においては、遮光装置１６０に代えて、不透明基材に所定パターンの開口部を設けることにより形成されている遮光装置を用いることもできる。このような遮光装置を図５及び図６を用いて説明する。
【００８０】
図５は、実施形態１の変形例１としての遮光装置１６０ａを説明するために示す図である。図５（ａ）は照明光束の光路に挿入した状態の遮光装置１６０ａを正面から見た図であり、図５（ｂ）は照明光束の光路に挿入した状態の遮光装置１６０ａを上面から見た図であり、図５（ｃ）は照明光束の光路から離脱させた状態の遮光装置１６０ａを正面から見た図であり、図５（ｄ）は照明光束の光路から離脱させた状態の遮光装置１６０ａを上面から見た図である。
【００８１】
図６は、実施形態１の変形例２における遮光装置１６０ｂを説明するために示す図である。図６（ａ）は照明光束の光路に挿入した状態の遮光装置１６０ｂを正面から見た図であり、図６（ｂ）は照明光束の光路に挿入した状態の遮光装置１６０ｂを上面から見た図であり、図６（ｃ）は照明光束の光路から離脱させた状態の遮光装置１６０ｂを正面から見た図であり、図６（ｄ）は照明光束の光路から離脱させた状態の遮光装置１６０ｂを上面から見た図である。
【００８２】
実施形態１に係るプロジェクタ１００２においては、図５及び図６に示すように、遮光装置１６０に代えて、不透明基材に所定パターンの開口部を設けることにより形成されている遮光装置１６０ａ，１６０ｂを用いることもできる。
【００８３】
このように構成することによれば、比較的簡単な方法で遮光装置を製造することが可能となる。この場合、光が光透過領域を通過するときには空気層を通過することになるため、光透過率が向上して光利用効率の低下をさらに抑制することができるとともに迷光レベルがさらに低減しさらにコントラストが向上する。
【００８４】
また、変形例１又は変形例２に係る遮光装置１６０ａ，１６０ｂは、折り畳むことによって遮光装置１６０ａ，１６０ｂを照明光束の光路から離脱させることとしているため、プロジェクタの体積が大きくすることを極力抑制することができる。
【００８５】
〔実施形態２〕
図７は、実施形態２に係るプロジェクタ１００４における遮光装置１６２を説明するために示す図である。図７（ａ）は遮光装置１６２を照明光束の光路から離脱させたときに第１レンズアレイ１２２を第２レンズアレイ側から見た図であり、図７（ｂ）は液晶装置４１０Ｒの光学変調領域４１２Ｒにおける照明光束の照射領域Ｌ０を示す図である。図７（ｃ）は遮光装置１６２を照明光束の光路に挿入したときに遮光装置１６２及び第１レンズアレイ１２２を第２レンズアレイ側から見た図であり、図７（ｄ）は液晶装置４１０Ｒの光学変調領域４１２Ｒにおける照明光束の照射領域Ｌ１を示す図である。なお、図７において、液晶装置４１０Ｒ，４１０Ｇ，４１０Ｂのうち液晶装置４１０Ｒの光学変調領域４１２Ｒを示しているが、液晶装置４１０Ｇ及び４１０Ｂにおいても液晶装置４１０Ｒと同様であるので図示を省略する。
【００８６】
実施形態２に係るプロジェクタ１００４を用いて、アスペクト比３：４の投写画像を表示する場合には、図７（ａ）及び図７（ｂ）に示すように、遮光装置１６２を照明光束の光路から離脱させる。すると、アスペクト比３：４の照明光束（Ｌ０）は、アスペクト比３：４の光学変調領域を有する液晶装置４１０Ｒ，４１０Ｇ，４１０Ｂにおける、アスペクト比９：１６の画像形成領域に照射されることになる。
一方、実施形態２に係るプロジェクタ１００４を用いて、アスペクト比９：１６の投写画像を表示する場合には、図７（ｃ）及び図７（ｄ）に示すように、遮光装置１６２を照明光束の光路に挿入する。すると、アスペクト比９：１６の照明光束（Ｌ１）は、アスペトアスペクト比３：４の光学変調領域を有する液晶装置４１０Ｒ，４１０Ｇ，４１０Ｂにおける、アスペクト比９：１６の画像形成領域に照射されることになる。
【００８７】
このように、実施形態２に係るプロジェクタ１００４は、電気光学変調装置として、３：４のアスペクト比の光学変調領域を有する液晶装置４１０Ｒ，４１０Ｇ，４１０Ｂを用いた点（及びそれに伴って３：４のアスペクト比の光射出面を有する第１レンズアレイ１２２及び第２レンズアレイを用いた点）が、実施形態１に係るプロジェクタ１００２の場合とは異なるが、照明装置が液晶装置の非画像形成領域に光を照射しないように第１レンズアレイ１２２における各第１小レンズ１２３から射出される部分光束毎に光を部分的に遮断することにより照明光束のアスペクト比を変更する機能を有する遮光装置１６２を有しているため、実施形態１に係るプロジェクタ１００２の場合と同様に、液晶装置の非画像形成領域には光が照射されなくなるため、投写画像のアスペクト比を変更することに起因して目障りとなることがなくなる。
【００８８】
ところで、一般にプロジェクタにおいては、光学部品、電気・機械部品等は、電気光学変調装置の近くよりも第１レンズアレイの近くの方が低密度に配置されている。このため、本発明のプロジェクタにおいては、遮光装置は第１レンズアレイの光入射面又は光射出面の近傍に位置するため、従来のプロジェクタ１０００の場合と比較して、遮光装置を導入するのが容易になる。また、このことにより、遮光装置は電気光学変調装置から離隔された位置に配置されることになるため、当該遮光装置を導入することに起因して画像品質が低下するということが抑制される。また、このことにより、遮光装置１６２は液晶装置４１０Ｒ，４１０Ｇ，４１０Ｂ（図示せず。）から離隔された位置に位置することになるため、遮光装置１６２を導入することに起因して画像品質が低下するということも抑制される。
【００８９】
実施形態２に係るプロジェクタ１００４においては、上記したように、液晶装置４１０Ｒ，４１０Ｇ，４１０Ｂは、３：４のアスペクト比の光学変調領域を有する液晶装置である。第１レンズアレイ１２２における複数の第１小レンズ１２３は、図７（ａ）に示すように、液晶装置４１０Ｒ，４１０Ｇ，４１０Ｂの長手方向に対応する第１の方向（ｘ軸方向）に沿って４列、かつ、第１の方向に直交する第２の方向（ｙ軸方向）に沿って６行に配列されている。
【００９０】
このため、実施形態２に係るプロジェクタ１００４においても、実施形態１に係るプロジェクタ１００２の場合と同様に、第１小レンズ１２３（及びそれに対応して第２レンズアレイにおける第２小レンズ）をそれほど小さくしなくてもよくなるため、各第１小レンズ１２３から射出された部分光束が各第２小レンズに効率良く入射するようになり、光利用効率の低下を抑制することができるとともに迷光レベルが低減しコントラストが向上する。また、第１レンズアレイ１２２（及び第２レンズアレイ）の製造が容易になるという効果もある。
【００９１】
〔実施形態３〕
図８は、実施形態３に係るプロジェクタ１００６を説明するために示す図である。図８（ａ）はプロジェクタ１００６の光学系を上面から見た図であり、図８（ｂ）はプロジェクタ１００６の光学系を側面から見た図であり、図８（ｃ）はインテグレータロッド１７０の光射出面を示す図であり、図８（ｄ）は遮光装置１８０をリレーレンズ１９２側から見た図である。
なお、以下の説明においては、互いに直交する３つの方向をそれぞれｚ軸方向（図８（ａ）における照明光軸１００Ａａｘ方向）、ｘ軸方向（図８（ａ）における紙面に平行かつｚ軸に直交する方向）及びｙ軸方向（図８（ａ）における紙面に垂直かつｚ軸に直交する方向）とする。
【００９２】
実施形態３に係るプロジェクタ１００６は、図８（ａ）及び図８（ｂ）に示すように、集束光を射出する光源装置１１０Ａ及び光源装置１１０Ａからの光をより均一な強度分布を有する光に変換するインテグレータロッド１７０を備えた照明装置１００Ａと、照明装置１００Ａからの光を被照明領域に導くリレー光学系１９０と、リレー光学系１９０からの光を画像情報に応じて変調するマイクロミラー型変調装置４２０と、マイクロミラー型変調装置４２０で変調された光を投写する投写光学系６１０とを備えている。また、実施形態３に係るプロジェクタ１００６は、図示されていないが、画像情報に応じて画像形成領域と非画像形成領域の範囲を変更可能なアスペクト比変更機能（すなわち電子ズーム機能）を有する電子ズーム装置をさらに有している。
【００９３】
光源装置１１０Ａは、図８（ａ）及び図８（ｂ）に示すように、楕円面リフレクタ１１４Ａと、楕円面リフレクタ１１４Ａの第１焦点近傍に発光中心を有する発光管１１２とを有している。そして、発光管１１２には、発光管１１２から被照明領域側に放射される光を発光管１１２を介して楕円面リフレクタ１１４Ａに向けて反射する反射光学系としての補助ミラー１１６Ａが取り付けられている。光源装置１１０Ａはインテグレータロッド１７０の光入射面近傍で集束する集束光を射出する。光源装置１１０Ａの楕円面リフレクタ１１４Ａの第１焦点と第２焦点とをつないだ直線は照明光軸１００Ａａｘと一致している。
【００９４】
インテグレータロッド１７０の光射出面の形状は、マイクロミラー型変調装置４２０の光学変調領域４２２と相似形状となっている（図９（ａ）及び図９（ｂ）参照。）。つまり、実施形態２に係るマイクロミラー型変調装置４２０が「ｙ軸方向に沿った縦寸法：ｘ軸方向に沿った横寸法＝９：１６の長方形（アスペクト比が９：１６）」の光学変調領域４２２を有するワイドビジョン用であるから、インテグレータロッド１７０の光射出面のアスペクト比もまた９：１６である。
【００９５】
インテグレータロッド１７０に入射した光は、インテグレータロッド１７０の内面で反射を繰り返しながらインテグレータロッド１７０内を通過する。これにより、インテグレータロッド１７０は、光源装置１１０Ａから射出された照度分布が一様でない光を、画像形成領域において照度分布を一様にする機能を有している。
インテグレータロッド１７０の光入射面側には図示しないカラーホイールが設けられている。このカラーホイールは、赤、緑及び青のカラーフィルタが渦巻き状に配置された構造を有している。なお、カラーホイールは省略することも可能であり、この場合に投写される画像はモノクロ画像となる。
【００９６】
リレー光学系１９０は、インテグレータロッド１７０の光射出面の像をマイクロミラー型変調装置４２０の光学変調領域４２２上で結像させる機能を有している。図８に示されるリレー光学系１９０は１枚のレンズで構成されているが、複数のレンズを組み合わせた複合レンズにより構成しても良い。リレー光学系１９０によって結像される像の領域が、照明装置１００Ａによって照明されるマイクロミラー型変調装置４２０の光学変調領域４２２の照明領域となる。
【００９７】
マイクロミラー型変調装置４２０は、光学変調領域４２２に照射された照明光を画像情報に応じて各画素に対応するマイクロミラーで反射することにより、画像を表す画像光を投写光学系６１０の方に射出する機能を有する反射方向制御型光変調装置である。マイクロミラー型変調装置４２０から射出される画像光は、投写光学系６１０を介して投写される。これにより、画像光の表す画像が投写表示される。
【００９８】
マイクロミラー型変調装置４２０と、投写光学系６１０とは、それぞれの中心軸が一致するように配置されている。なお、あおり投写の構成を有するプロジェクタとする場合は、マイクロミラー型変調装置４２０の中心軸に対して投写光学系６１０の光軸があおり方向にずれている。
【００９９】
電子ズーム装置は、マイクロミラー型変調装置４２０の光学変調領域４２２のうち画像形成領域で投写する画像を変調し、画像形成領域の外側の非画像形成領域を黒色表示させて、投写する画像のアスペクト比がマイクロミラー型変調装置４２０の光学変調領域のアスペクト比と異なる場合であっても、電子回路を用いて画像形成領域と非画像形成領域の範囲を変更して、画像の全てが投写されるように画像のサイズ調整を行う。
【０１００】
図９は、実施形態３に係るプロジェクタ１００６における遮光装置１８０を説明するために示す図である。図９（ａ）は遮光装置１８０を照明光束の光路から離脱させたときにインテグレータロッド１７０をリレーレンズ１９２側から見た図であり、図９（ｂ）はマイクロミラー型変調装置４２０の光学変調領域４２２における照明光束の照射領域Ｌ０を示す図であり、図９（ｃ）は遮光装置１８０を照明光束の光路に挿入したときに遮光装置１８０及びインテグレータロッド１７０をリレーレンズ１９２側から見た図であり、図９（ｄ）はマイクロミラー型変調装置４２０の光学変調領域４２２における照明光束の照射領域Ｌ１を示す図である。
【０１０１】
実施形態３に係るプロジェクタ１００６を用いて、アスペクト比９：１６の投写画像を表示する場合には、図９（ａ）及び図９（ｂ）に示すように、遮光装置１８０を照明光束の光路から離脱させる。すると、アスペクト比９：１６の照明光束（Ｌ０）は、アスペクト比９：１６の光学変調領域を有するマイクロミラー型変調装置４２０における、アスペクト比９：１６の画像形成領域に照射されることになる。
一方、実施形態３に係るプロジェクタ１００６を用いて、アスペクト比３：４の投写画像を表示する場合には、図９（ｃ）及び図９（ｄ）に示すように、遮光装置１８０を照明光束の光路に挿入する。すると、アスペクト比３：４の照明光束（Ｌ１）は、アスペクト比９：１６の光学変調領域を有するマイクロミラー型変調装置４２０における、アスペクト比３：４の画像形成領域に照射されることになる。
【０１０２】
実施形態３に係るプロジェクタ１００６は、図８（ａ）及び図８（ｂ）に示すように、インテグレータ光学系として、レンズインテグレータ光学系に代えて、ロッドインテグレータ光学系を用いた点が、実施形態１に係るプロジェクタ１００２の場合と大きく異なっている。
【０１０３】
このように、実施形態３に係るプロジェクタ１００６は、インテグレータ光学系として、ロッドインテグレータ光学系を用いた点が、実施形態１に係るプロジェクタ１００２の場合とは異なるが、照明装置１００Ａが、インテグレータロッド１７０から射出される照明光束のうちマイクロミラー型変調装置４２０の非画像形成領域を照射する光を遮断することにより照明光束のアスペクト比を変更する機能を有する遮光装置１８０を有しているため、マイクロミラー型変調装置４２０の非画像形成領域には光が照射されなくなり、実施形態１に係るプロジェクタ１００２の場合と同様に、投写画像のアスペクト比を変更することに起因して目障りとなることがなくなる。また、遮光装置１８０は、インテグレータロッド１７０の光射出面側に、照明光束の光路に対して着脱可能に配置された遮光装置であるため、実施形態１に係るプロジェクタ１００２の場合と同様に、遮光装置１８０を導入するのが容易になる。また、このことにより、遮光装置１８０はマイクロミラー型変調装置４２０から離隔された位置に位置することになるため、実施形態１に係るプロジェクタ１００２の場合と同様に、遮光装置１８０を導入することに起因して画像品質が低下するということも抑制される。
【０１０４】
実施形態３に係るプロジェクタ１００６においても、実施形態１に係るプロジェクタ１００２の場合と同様に、遮光装置１８０とインテグレータロッド１７０の光射出面との間隔をＴ２としたとき、０．１ｍｍ＜Ｔ２＜２ｍｍなる関係を満たすこととしている。
【０１０５】
これは、光源装置１１０Ａからの照射光束をより均一な光束に変換するレンズインテグレータ光学系においては、インテグレータロッド１７０の光射出面とマイクロミラー型変調装置４２０の画像形成領域とが共役の位置に位置するため、遮光装置１８０はインテグレータロッド１７０の近傍にあることが好ましいからである。この観点からは、Ｔ２＜１ｍｍなる関係を満たすことがより好ましい。
一方、この間隔があまりに狭いと、照明光束の光路に対して遮光装置１８０をスムーズに着脱するのが困難になるからである。この観点からは、Ｔ２＞０．２ｍｍなる関係を満たすことがより好ましい。
【０１０６】
実施形態３に係るプロジェクタ１００６においては、遮光装置１８０は、図８（ｄ）に示すように、不透明基材に所定パターンの開口部を設けることにより形成されている遮光装置である。
【０１０７】
このため、実施形態３に係るプロジェクタ１００６によれば、比較的簡単な方法で遮光装置を製造することが可能となる。この場合、光が光透過領域を通過するときには空気層を通過することになるため、光透過率が向上して光利用効率の低下をさらに抑制することができるとともに迷光レベルがさらに低減しさらにコントラストが向上する。
【０１０８】
実施形態３に係るプロジェクタ１００６においても、発光管１１２には、発光管１１２から被照明領域側に射出される光を楕円面リフレクタ１１４Ａに向けて反射する反射光学系としての補助ミラー１１６Ａが設けられている。
【０１０９】
このため、実施形態３に係るプロジェクタ１００６によれば、発光管１１２から被照明領域側に放射される光が楕円面リフレクタ１１４Ａに反射されるため、発光管１１２の被照明領域側端部を覆うような大きさに楕円面リフレクタ１１４Ａの大きさを設定することを必要とせず、楕円面リフレクタ１１４Ａの小型化を図ることができる。
【０１１０】
〔実施形態４〕
図１０は、実施形態４に係るプロジェクタ１００８における遮光装置１８２を説明するために示す図である。図１０（ａ）は遮光装置１８２を照明光束の光路から離脱させたときにインテグレータロッド１７２をリレーレンズ側から見た図であり、図１０（ｂ）はマイクロミラー型変調装置４３０の光学変調領域４３２における照明光束の照射領域Ｌ０を示す図であり、図１０（ｃ）は遮光装置１８２を照明光束の光路に挿入したときに遮光装置１８２及びインテグレータロッド１７２をリレーレンズ側から見た図であり、図１０（ｄ）はマイクロミラー型変調装置４３０の光学変調領域４３２における照明光束の照射領域Ｌ１を示す図である。
【０１１１】
実施形態４に係るプロジェクタ１００８を用いて、アスペクト比３：４の投写画像を表示する場合には、図１０（ａ）及び図１０（ｂ）に示すように、遮光装置１８２を照明光束の光路から離脱させる。すると、アスペクト比３：４の照明光束（Ｌ０）は、アスペクト比３：４の光学変調領域を有するマイクロミラー型変調装置４３０における、アスペクト比３：４の画像形成領域に照射されることになる。
一方、実施形態４に係るプロジェクタ１００８を用いて、アスペクト比９：１６の投写画像を表示する場合には、図１０（ｃ）及び図１０（ｄ）に示すように、遮光装置１８２を照明光束の光路に挿入する。すると、アスペクト比９：１６の照明光束（Ｌ１）は、アスペクト比３：４の光学変調領域を有するマイクロミラー型変調装置４３０における、アスペクト比９：１６の画像形成領域に照射されることになる。
【０１１２】
実施形態４に係るプロジェクタ１００８は、基本的には実施形態３に係るプロジェクタ１００６と同様の構成を有しているが、電気光学変調装置として、３：４のアスペクト比を有するマイクロミラー型変調装置４３０を用いた点（及びそれに伴って３：４のアスペクト比の光射出面を有するインテグレータロッド１７２を用いた点）が、実施形態３に係るプロジェクタ１００６の場合と異なっている。
【０１１３】
このように、実施形態４に係るプロジェクタ１００８は、電気光学変調装置として、３：４のアスペクト比を有するマイクロミラー型変調装置４３０を用いた点（及びそれに伴って３：４のアスペクト比の光射出面を有するインテグレータロッド１７２を用いた点）が、実施形態３に係るプロジェクタ１００６の場合とは異なるが、照明装置がインテグレータロッド１７２から射出される照明光束のうちマイクロミラー型変調装置４３０の非画像形成領域を照射する光を遮断することにより照明光束のアスペクト比を変更する機能を有する遮光装置１８２を有しているため、マイクロミラー型変調装置４２０の非画像形成領域には光が照射されなくなり、実施形態３に係るプロジェクタ１００６の場合と同様に、投写画像のアスペクト比を変更することに起因して目障りとなることがなくなる。また、遮光装置１８２は、インテグレータロッド１７２の光射出面側に、照明光束の光路に対して着脱可能に配置された遮光装置であるため、実施形態３に係るプロジェクタ１００６の場合と同様に、遮光装置１８２を導入するのが容易になる。また、このことにより、遮光装置１８２はマイクロミラー型変調装置４３０から離隔された位置に位置することになるため、実施形態３に係るプロジェクタ１００６の場合と同様に、遮光装置１８２を導入することに起因して画像品質が低下するということも抑制される。
【０１１４】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【０１１５】
（１）実施形態１又は２に係るプロジェクタ１００２，１００４は、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限定されるものではない。光源装置として、放物面リフレクタと、放物面リフレクタの焦点近傍に発光中心を有する発光管とを有する光源装置をも好ましく用いることができる。
（２）実施形態１又は２に係るプロジェクタ１００２，１００４は、透過型の電気光学変調装置を用いた透過型のプロジェクタであるが、本発明はこれに限定されるものではない。本発明は反射型の電気光学変調装置を用いた反射型のプロジェクタに適用することも可能である。
（３）実施形態１又は２に係るプロジェクタ１００２，１００４は、電気光学変調装置として液晶装置を用いているが、本発明はこれに限定されるものではない。電気光学変調装置としては、一般に、画像情報に応じて入射光を変調するものであればよく、マイクロミラー型変調装置などを利用してもよい。マイクロミラー型変調装置としては、例えば、ＤＭＤ（デジタルマイクロミラーデバイス）（ＴＩ社の商標）を用いることができる。
（４）実施形態３又は４に係るプロジェクタ１００６，１００８は、電気光学変調装置としてマイクロミラー型変調装置を用いているが、本発明はこれに限定されるものではない。電気光学変調装置としては、画像情報に応じて入射光を変調するものであればよく、実施形態１又は２の液晶装置などを利用してもよい。
（５）実施形態１又は２に係るプロジェクタ１００２，１００４は、３つの液晶装置を用いたプロジェクタの例のみを挙げたが、本発明はこれに限定されるものではない。本発明は、１つの液晶装置のみを用いたプロジェクタ、２つの液晶装置を用いたプロジェクタ、あるいは、４つ以上の液晶装置を用いたプロジェクタにも適用可能である。
（６）上記各実施形態においては、スクリーンを観察する方向から投写を行うフロントタイプのプロジェクタの例のみを挙げたが、本発明はこれに限定されるものではない。本発明は、スクリーンを観察する方向とは反対側から投写を行うリアタイプのプロジェクタにも適用可能である。
【図面の簡単な説明】
【０１１６】
【図１】実施形態１に係るプロジェクタ１００２を説明するために示す図。
【図２】第１レンズアレイ１２０を説明するために示す図。
【図３】遮光装置１６０を説明するために示す図。
【図４】実施形態１に係るプロジェクタ１００２における遮光装置１６０を説明するために示す図。
【図５】実施形態１の変形例１としての遮光装置１６０ａを説明するために示す図。
【図６】実施形態１の変形例２としての遮光装置１６０ｂを説明するために示す図。
【図７】実施形態２に係るプロジェクタ１００４における遮光装置１６２を説明するために示す図。
【図８】実施形態３に係るプロジェクタ１００６を説明するために示す図。
【図９】実施形態３に係るプロジェクタ１００６における遮光装置１８０を説明するために示す図。
【図１０】実施形態４に係るプロジェクタ１００８における遮光装置１８２を説明するために示す図。
【図１１】従来の他のプロジェクタを説明するために示す図。
【符号の説明】
【０１１７】
１００，１００Ａ…照明装置、１００ａｘ，１００Ａａｘ…照明光軸、１１０，１１０Ａ…光源装置、１１２，１１１２…発光管、１１４，１１４Ａ…楕円面リフレクタ、１１６，１１６Ａ…補助ミラー、１１８…平行化レンズ、１２０，１２２，１１２０…第１レンズアレイ、１２１，１２３…第１小レンズ、１３０，１１３０…第２レンズアレイ、１４０，１１４０…偏光変換素子、１５０，１１５０…重畳レンズ、１６０，１６０ａ，１６０ｂ，１６２，１８０，１８２，１４１０，１４２０…遮光装置、１７０，１７２…インテグレータロッド、１９０…リレー光学系、１９２…リレーレンズ、１９４…反射ミラー、２００，１２００…色分離導光光学系、２４０，１４３０Ｒ，１４３０Ｇ，１４３０Ｂ…フィールドレンズ、４００Ｒ，４００Ｇ，４００Ｂ，４１０Ｒ，１４００Ｒ，１４００Ｇ，１４００Ｂ…液晶装置、４０２Ｒ，４１２Ｒ，４２２，４３２…光学変調領域、４２０，４３０…マイクロミラー型変調装置、４２０ａｘ…投写光軸、５００，１５００…クロスダイクロイックプリズム、６００，６１０，１６００…投写光学系、１０００，１００２，１００４，１００６，１００８…プロジェクタ、１１１４…リフレクタ、１４０４…ケース、１４０６…信号ケーブル、１４１２…ラック、１４１４…平歯車、１４２２…回転軸、ＳＣＲ…スクリーン
【図５】
2006133641.tif 000003
【図６】
2006133641.tif 000004
【図１１】
2006133641.tif 000005
【図１】
2006133641.tif 000006
【図２】
2006133641.tif 000007
【図３】
2006133641.tif 000008
【図４】
2006133641.tif 000009
【図７】
2006133641.tif 000010
【図８】
2006133641.tif 000011
【図９】
2006133641.tif 000012
【図１０】
2006133641.tif 000013
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
被照明領域側に略平行な照明光束を射出する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ、及び前記第２レンズアレイから射出される各部分光束を被照明領域で重畳させるための重畳レンズを有する照明装置と、
前記照明装置から射出される照明光束を画像情報に応じて変調する電気光学変調装置であって、前記画像情報に応じて光学変調領域内における画像形成領域と非画像形成領域の範囲を変更可能なアスペクト比変更機能を有する電気光学変調装置と、
前記電気光学変調装置によって変調される照明光束を投写する投写光学系とを備えたプロジェクタにおいて、
前記照明装置は、前記第１レンズアレイの光入射面側又は光射出面側に、照明光束の光路に対して着脱可能に配置された遮光装置であって、前記電気光学変調装置の非画像形成領域に光を照射しないように前記第１レンズアレイにおける各第１小レンズから射出される部分光束毎に光を部分的に遮断することにより照明光束のアスペクト比を変更する機能を有する遮光装置を有することを特徴とするプロジェクタ。
【請求項２】
請求項１に記載のプロジェクタにおいて、
前記遮光装置と前記第１レンズアレイとの間隔をＴ１としたとき、０．１ｍｍ＜Ｔ１＜２ｍｍなる関係を満たすことを特徴とするプロジェクタ。
【請求項３】
請求項１又は２に記載のプロジェクタにおいて、
前記遮光装置は、透明基材に所定パターンの開口部を有する光非透過部材を設けることにより形成されている遮光装置であることを特徴とするプロジェクタ。
【請求項４】
請求項３に記載のプロジェクタにおいて、
前記遮光装置の光透過部材には、減反射膜が形成されていることを特徴とするプロジェクタ。
【請求項５】
請求項１又は２に記載のプロジェクタにおいて、
前記遮光装置は、不透明基材に所定パターンの開口部を設けることにより形成されている遮光装置であることを特徴とするプロジェクタ。
【請求項６】
請求項１〜５のいずれかに記載のプロジェクタにおいて、
前記電気光学変調装置の前記光学変調領域は、９：１６のアスペクト比を有し、
前記第１レンズアレイにおける前記複数の第１小レンズは、前記電気光学変調装置の長手方向に対応する第１の方向に沿って４列、かつ、前記第１の方向に直交する第２の方向に沿って７行に配列されていることを特徴とするプロジェクタ。
【請求項７】
請求項１〜５のいずれかに記載のプロジェクタにおいて、
前記電気光学変調装置の前記光学変調領域は、３：４のアスペクト比を有し、
前記第１レンズアレイにおける前記複数の第１小レンズは、前記電気光学変調装置の長手方向に対応する第１の方向に沿って４列、かつ、前記第１の方向に直交する第２の方向に沿って６行に配列されていることを特徴とするプロジェクタ。
【手続補正２】
【補正対象書類名】明細書
【補正対象項目名】００３３
【補正方法】削除
【補正の内容】
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００４３
【補正方法】削除
【補正の内容】
【手続補正１３】
【補正対象書類名】明細書
【補正対象項目名】００９１
【補正方法】削除
【補正の内容】
【手続補正１４】
【補正対象書類名】明細書
【補正対象項目名】００９２
【補正方法】削除
【補正の内容】
【手続補正１５】
【補正対象書類名】明細書
【補正対象項目名】００９３
【補正方法】削除
【補正の内容】
【手続補正１６】
【補正対象書類名】明細書
【補正対象項目名】００９４
【補正方法】削除
【補正の内容】
【手続補正１７】
【補正対象書類名】明細書
【補正対象項目名】００９５
【補正方法】削除
【補正の内容】
【手続補正１８】
【補正対象書類名】明細書
【補正対象項目名】００９６
【補正方法】削除
【補正の内容】
【手続補正１９】
【補正対象書類名】明細書
【補正対象項目名】００９７
【補正方法】削除
【補正の内容】
【手続補正２０】
【補正対象書類名】明細書
【補正対象項目名】００９８
【補正方法】削除
【補正の内容】
【手続補正２１】
【補正対象書類名】明細書
【補正対象項目名】００９９
【補正方法】削除
【補正の内容】
【手続補正２２】
【補正対象書類名】明細書
【補正対象項目名】０１００
【補正方法】削除
【補正の内容】
【手続補正２３】
【補正対象書類名】明細書
【補正対象項目名】０１０１
【補正方法】削除
【補正の内容】
【手続補正２４】
【補正対象書類名】明細書
【補正対象項目名】０１０２
【補正方法】削除
【補正の内容】
【手続補正２５】
【補正対象書類名】明細書
【補正対象項目名】０１０３
【補正方法】削除
【補正の内容】
【手続補正２６】
【補正対象書類名】明細書
【補正対象項目名】０１０４
【補正方法】削除
【補正の内容】
【手続補正２７】
【補正対象書類名】明細書
【補正対象項目名】０１０５
【補正方法】削除
【補正の内容】
【手続補正２８】
【補正対象書類名】明細書
【補正対象項目名】０１０６
【補正方法】削除
【補正の内容】
【手続補正２９】
【補正対象書類名】明細書
【補正対象項目名】０１０７
【補正方法】削除
【補正の内容】
【手続補正３０】
【補正対象書類名】明細書
【補正対象項目名】０１０８
【補正方法】削除
【補正の内容】
【手続補正３１】
【補正対象書類名】明細書
【補正対象項目名】０１０９
【補正方法】削除
【補正の内容】
【手続補正３２】
【補正対象書類名】明細書
【補正対象項目名】０１１０
【補正方法】削除
【補正の内容】
【手続補正３３】
【補正対象書類名】明細書
【補正対象項目名】０１１１
【補正方法】削除
【補正の内容】
【手続補正３４】
【補正対象書類名】明細書
【補正対象項目名】０１１２
【補正方法】削除
【補正の内容】
【手続補正３５】
【補正対象書類名】明細書
【補正対象項目名】０１１３
【補正方法】削除
【補正の内容】
【手続補正３６】
【補正対象書類名】明細書
【補正対象項目名】０１１５
【補正方法】変更
【補正の内容】
【０１１５】
（１）実施形態１又は２に係るプロジェクタ１００２，１００４は、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限定されるものではない。光源装置として、放物面リフレクタと、放物面リフレクタの焦点近傍に発光中心を有する発光管とを有する光源装置をも好ましく用いることができる。
（２）実施形態１又は２に係るプロジェクタ１００２，１００４は、透過型の電気光学変調装置を用いた透過型のプロジェクタであるが、本発明はこれに限定されるものではない。本発明は反射型の電気光学変調装置を用いた反射型のプロジェクタに適用することも可能である。
（３）実施形態１又は２に係るプロジェクタ１００２，１００４は、電気光学変調装置として液晶装置を用いているが、本発明はこれに限定されるものではない。電気光学変調装置としては、一般に、画像情報に応じて入射光を変調するものであればよく、マイクロミラー型変調装置などを利用してもよい。マイクロミラー型変調装置としては、例えば、ＤＭＤ（デジタルマイクロミラーデバイス）（ＴＩ社の商標）を用いることができる。
（５）実施形態１又は２に係るプロジェクタ１００２，１００４は、３つの液晶装置を用いたプロジェクタの例のみを挙げたが、本発明はこれに限定されるものではない。本発明は、１つの液晶装置のみを用いたプロジェクタ、２つの液晶装置を用いたプロジェクタ、あるいは、４つ以上の液晶装置を用いたプロジェクタにも適用可能である。
（６）上記各実施形態においては、スクリーンを観察する方向から投写を行うフロントタイプのプロジェクタの例のみを挙げたが、本発明はこれに限定されるものではない。本発明は、スクリーンを観察する方向とは反対側から投写を行うリアタイプのプロジェクタにも適用可能である。
【手続補正３７】
【補正対象書類名】明細書
【補正対象項目名】０１１６
【補正方法】変更
【補正の内容】
【０１１６】
【図１】実施形態１に係るプロジェクタ１００２を説明するために示す図。
【図２】第１レンズアレイ１２０を説明するために示す図。
【図３】遮光装置１６０を説明するために示す図。
【図４】実施形態１に係るプロジェクタ１００２における遮光装置１６０を説明するために示す図。
【図５】実施形態１の変形例１としての遮光装置１６０ａを説明するために示す図。
【図６】実施形態１の変形例２としての遮光装置１６０ｂを説明するために示す図。
【図７】実施形態２に係るプロジェクタ１００４における遮光装置１６２を説明するために示す図。
【図８】従来の他のプロジェクタを説明するために示す図。
【手続補正３８】
【補正対象書類名】明細書
【補正対象項目名】０１１７
【補正方法】変更
【補正の内容】
【０１１７】
１００…照明装置、１００ａｘ…照明光軸、１１０…光源装置、１１２，１１１２…発光管、１１４…楕円面リフレクタ、１１６…補助ミラー、１１８…平行化レンズ、１２０，１２２，１１２０…第１レンズアレイ、１２１，１２３…第１小レンズ、１３０，１１３０…第２レンズアレイ、１４０，１１４０…偏光変換素子、１５０，１１５０…重畳レンズ、１６０，１６０ａ，１６０ｂ，１６２１４１０，１４２０…遮光装置、２００，１２００…色分離導光光学系、２４０，１４３０Ｒ，１４３０Ｇ，１４３０Ｂ…フィールドレンズ、４００Ｒ，４００Ｇ，４００Ｂ，４１０Ｒ，１４００Ｒ，１４００Ｇ，１４００Ｂ…液晶装置、４０２Ｒ，４１２Ｒ…光学変調領域、５００，１５００…クロスダイクロイックプリズム、６００，１６００…投写光学系、１０００，１００２，１００４…プロジェクタ、１１１４…リフレクタ、１４０４…ケース、１４０６…信号ケーブル、１４１２…ラック、１４１４…平歯車、１４２２…回転軸、ＳＣＲ…スクリーン
【手続補正３９】
【補正対象書類名】図面
【補正対象項目名】図８
【補正方法】変更
【補正の内容】
【図８】
2006133641.tif 000014
【手続補正４０】
【補正対象書類名】図面
【補正対象項目名】図９
【補正方法】削除
【補正の内容】
【手続補正４１】
【補正対象書類名】図面
【補正対象項目名】図１０
【補正方法】削除
【補正の内容】
【手続補正４２】
【補正対象書類名】図面
【補正対象項目名】図１１
【補正方法】削除
【補正の内容】